(57)【要約】  連結可能なタイル(100)は、上面配置(110A-110C, 110A'-110C')の複数のセットと、 下面配置(109')の対応する複数のセットを含む。上面配置(110A -110C)及び下面配置の第1のセットは、タイル(100)の第1の側面のエッジ(104C)に位置するか隣接する。上面 (110A' - 110C')及び下面配置の第2のセット は、タイルの反対側面のエッジ(104D)に位置するか隣接し、使用時に、タイルの上面配置は、重なるタイル上の対応する下面配置に連結する。タイルはさらに、側面のエッジ(104C)に位置し又は隣接した第1の構成物(114)と 使用時に、隣接した瓦の対応する前記第1の構成物で連結する、反対側面のエッジ(104D)に位置し又は隣接した第2の構成物(112)とを含む。 【選択図】  図4
2011529537.tif 000002
【特許請求の範囲】
【請求項１】
連結可能なタイル(100)は、
上面配置(110A-110C, 110A'-110C')の複数のセットと下面配置(109')の対応する複数のセットと、
側面のエッジ(104C)に位置し又は隣接した第1の構成物(114)と、
反対側面のエッジ(104D)に位置し又は隣接した、使用時に隣接したタイルの対応する前記第1の構成物で連結する第2の構成物(112)と、
を含み、
前記上面配置の前記セットの第1のセット(110A-110C)及び前記下面配置の前記セットの第1のセットは、タイル(100)の第1の側面のエッジ(104C)に位置し又は隣接し、
前記上面配置の前記セットの第２のセット(110A'-110C')及び前記下面配置の前記セットの第２のセットは、タイルの反対側面のエッジ(104D)に位置し又は隣接し、
使用時に、前記タイルの前記上面配置は、重なるタイル上の対応する下面配置で連結する
ことを特徴とする連結可能なタイル。
【請求項２】
前記タイルの前記下面配置(109')のセットの各々、及び/又は、前記上面配置(110A-110C, 110A'-110C')の前記セットの各々は、異なる距離によって前記タイルの上部か下部エッジから間を置いて配置された複数の構成物を含み、使用時に、前記複数の構成物が、前記重なるタイルのためにタイルのゲージの範囲を提供することを特徴とする請求項1に記載のタイル。
【請求項３】
前記第1の側面の構成物は、使用時に、固定手段(401)の受取りのために、第1の前もって形作った開口(118)を含み、前記第2の側面の構成物は、使用時に、前記固定手段の受取りのために、第2の前もって形作った開口(115)を含み、前記第1の側面の構成物は、他のタイルの前記第2の側面の構成物で連結される場合には、前記第1と前記第2の開口は前記固定手段が前記第1と前記第2の開口を通り抜けることを可能にするために整列することを特徴とする請求項2に記載のタイル。
【請求項４】
前記第1(118)及び前記第2(115)の開口の少なくとも1つは長方形であることを特徴とする請求項3に記載のタイル。
【請求項５】
前記第1の側面の構成物は、細長い突起(114)を含み、前記第2の側面の構成物は、前記反対側面のエッジ(104D)にくぼみ(112)又はスロットを含むことを特徴とする請求項4に記載のタイル。
【請求項６】
前記第1(114)及び前記第2(112)の側面の構成物の噛み合いは、使用時に、前記タイル(100)が隣接したタイル(100')で連結される場合には、前記タイルの上面が連結された前記タイルの上面と同じ高さとすることを可能とすることを特徴とする請求項4又は5に記載のタイル。
【請求項７】
前記細長い突起(116)の少なくとも一部分は、使用時に、隣接したタイル(100及び100')の側面のエッジ(104C、104D)間の接合個所の下に位置した水路を形成するための角度を有することを特徴とする請求項4から6のいずれかに記載のタイル。
【請求項８】
前記複数の上面配置(110A-110C)又は下面配置(109)は、タイル(100)の上部エッジ部分(104A)で、又は、その部分の近くで1列に配置された1セットの開口(110A-110C)を含むことを特徴とする請求項1から7のいずれかに記載のタイル。
【請求項９】
前記複数の上面開口(110A-110C)のすべて又はいくつかは、前記タイル(100)を横切って横に広がる、組み合わさる細長いスロット(511A-511C)を有し、それによって、使用時に、前記タイルで連結される他のタイルの横の動きを可能にすることを特徴とする請求項8に記載のタイル。
【請求項１０】
前記下面配置は、前記タイル(100)の下部エッジ部分(104B)の位置に又はその近くで配置され、他の前記タイルの開口(110A-110C)のセットのうちの1つに嵌合する寸法を有する突起(109)を含むことを特徴とする請求項8又は9に記載のタイル。
【請求項１１】
前記上面配置(110A-110C)及び前記下面配置の第1のセットは、前記タイル(100)の第1の側面のエッジ(104C) に位置するか隣接し、前記上面配置(110A'-110C')及び前記下面配置の第2のセットは、前記タイルの反対側面エッジ(104D)に位置するか隣接することを特徴とする請求項10に記載のタイル。
【請求項１２】
前記第1と前記第2とのセット間に位置する、前記上面配置のさらに少なくとも１つのセットと、前記下面配置のさらに少なくとも１つセット(110A'' -110C'')を含むことを特徴とする請求項11に記載のタイル。
【請求項１３】
使用時に、屋根ぬき板(102A)上に引っ掛けるニブ(106)をさらに含むことを特徴とする請求項1から12のいずれかに記載のタイル。
【請求項１４】
使用時に、釘のような固定手段を受けとるための前もって形作られた開口をさらに含むことを特徴とする請求項13に記載のタイル。
【請求項１５】
前記ニブ(106)の一部は、前記第1の側面の構成物(114)の上に形成されることを特徴とする請求項13又は14に記載のタイル。
【請求項１６】
前記タイル(100)の下面は、補強リブ(107)をさらに含むことを特徴とする請求項1から15のいずれかに記載のタイル。
【請求項１７】
前記補強リブは、前記タイル(100)の前記第1の側面のエッジ(104C)と前記反対側面のエッジ(104D)の間に伸び、V字形の断面を有する細長い部材(107)を含むことを特徴とする請求項16に記載のタイル。
【請求項１８】
前記タイル(100)の下部エッジ(104B)で輪郭が描かれた部分/足(102)を含み、使用時に、前記輪郭が描かれた部分は、重なるタイルの上部をオーバーラップさせることを特徴とする請求項1から17のいずれかに記載のタイル。
【請求項１９】
前記タイル(100)は、平面図において概して正方形か又は長方形であることを特徴とする請求項1から18のいずれかに記載のタイル。
【請求項２０】
前記タイル(100)は固い再利用プラスチック材料から作られることを特徴とする請求項1から19のいずれかに記載のタイル。
【請求項２１】
前記タイル(400)の側面のエッジ部分は、へりのアタッチメントを受け取る/接続するための配置(401)を含むことを特徴とする請求項1に記載のタイル。
【請求項２２】
前記タイル(812)の前記下面配置(118)は、使用時に、前記タイルの下面配置を受け取るための配置を含む少なくとも1つのピボット部材(808)を有するクリッピング手段(802)に嵌合し、前記ピボットの部材はピボット動作可能であり、前記タイルが屋根のピッチに対応する角度で適合されることを可能にすることを特徴とする請求項1から21のいずれかに記載のタイル。
【請求項２３】
前記クリッピング手段(802)は、建造物のフェイシア(804)に取り付けられることを特徴とする請求項22に記載のタイル。
【請求項２４】
請求項1から17のいずれかに記載のタイルによる1セットのタイル(100)。
【請求項２５】
前記セット中の前記タイル(300)の少なくとも1つは、前記セット中の他のタイル(100)より約50%広いことを特徴とする請求項24に記載の1セットのタイル。
【請求項２６】
キットは、1セットの前記タイル(100)と、 フェイシア板に前記タイルを固定するのに適した材料の1セットの小板と、を含む。
【請求項２７】
請求項25に記載の1セットのタイルが敷設されたことを特徴とする屋根又は建造物。
【請求項２８】
屋根ぬき板(102)上に前記セット中の第1の前記タイル(100)を敷設し、前記タイルの前記構成物(114, 112; 109, 110)が連結するように 前記セット中の次のタイル(100')を敷設することを含むことを特徴とする請求項25による1セットの瓦(100)を敷設する方法。
【請求項２９】
実質上、ここに記述され、及び/又は、添附図面を参照した連結可能なタイル。
【請求項３０】
実質上、ここに記述され、及び/又は、添附図面を参照した1セットの連結可能なタイルを敷設する方法。
【発明の詳細な説明】
【技術分野】
【０００１】
本発明は連結可能なタイルに関する。
【背景技術】
【０００２】
多くのタイプの既知のタイルがある。一般に、それらはスレート、粘土又はコンクリートから作られ、運搬と設置の間に破損をこうむりやすい。さらに、材料のこれらのタイプは、タイルが比較的重いことを意味する。屋根用タイルの場合には、タイルは、屋根職人の肩の上によってしばしば運ばれ、それは視覚を制限し、動きを妨害する。これは、屋根職人が、制限された視覚により不正確に手/足の位置を決めた後、垂木間の当て木を壊す場合のような事故に帰着する場合がある。さらに、そのような製品を輸送するコストはさらに高い。
【０００３】
様々なタイプの連結する瓦は入手可能であるが、正方形ではない屋根によって引き起こされる幅の増加又は減少のために、伸長する手法で屋根職人を支援するように意図され、同時に、直線状に接合され、又は、寸法のセッティングに対し調整を手伝う設計を組み入れた配置を含む既知の製品はない。
【０００４】
本発明の実施形態は、上述の問題のうちのいくつかに少なくとも焦点を当てるように意図される。
【発明の概要】
【０００５】
本発明の第1の態様によれば、下面配置と上面配置とを含み、使用時に、タイルの上面配置は、重なるタイル上の対応する下面配置で連結する連結可能なタイルが提供される。
【０００６】
第1の上面配置のセット及び第1の下面配置のセットは、タイルの第1の側面のエッジに位置するか又は隣接し、第2の上面配置のセット及び第2の下面配置のセットは、タイルの反対側面のエッジに位置するか又は隣接し、 使用時に、タイルの上面配置は オーバーラップするタイル上の対応する下面配置に連結する。上面配置の複数のセット及び対応する下面配置の複数セットがあってもよい。
【０００７】
タイルの下面配置及び/又は上面配置は、使用時に、複数の構成物が、重なるタイルのために、タイルを張る範囲を提供するための、異なる距離によってタイルの上部か下部エッジから間隔を置かれた複数の構成物を含んでよい。
【０００８】
タイルはさらに、使用時に、隣接したタイルの対応する第1の構成物で連結するための、側面のエッジに位置するか又は隣接した第1の構成物と、反対側面のエッジに位置するか又は隣接した第2の構成物とを含んでよく、そこで、第1の構成物は使用時に釘のような固定する手段を受け取るための、第1の前もって形作られた開口を含み、第2の構成物は、使用時に、固定する手段を受け取るための第2の前もって形作られた開口を含み、第1の構成物が他のタイルの前述の第2の構成物で連結される場合には、固定する手段が第1及び第2の開口を通り抜けることを可能にするため、第1及び第2の開口は整列する。
【０００９】
第1及び第2の開口の少なくとも1つは、長方形でよい。
【００１０】
タイルはさらに、使用時に、重なるタイル上の対応する下面配置で連結する下面配置及びタイルの上面配置を含む。
【００１１】
第1の側端面の構成物は細長い突起を含んでよく、 第2の側端面の構成物は反対側面端にくぼみかスロットを含んでよい。第1と第2側端面構成物の係合は、使用時に、タイルが隣接したタイルで連結される場合に、 タイルの上面が連結されたタイルの上面と同一平面上にあることを可能にする。細長い突起の少なくとも1つの部分は、使用時に、隣接したタイルの側端面間の接合個所の下に位置した、水流れの形成のための角度があってよい。
【００１２】
上面(又は下面)配置は、タイルの上部のエッジ部分で、又は、近くで、1列に配置された1セットの開口を含んでよい。複数の構成物のすべて又はいくらかは、タイルを横切って側面に伸長する1つの長方形状のスロットの組み合わせを有してよく、それによって、使用時に、タイルで連結される他のタイルの横への動きを可能にする。下面(又は上部の表面)配置は、タイルの下部エッジ部分で又はその近くで配置されてよく、他の前記タイルの開口のセットのうちの1つに適合する寸法を有する突起を含んでよい。上面(又は下面)配置の複数のセットが備わるかもしれない。例えば、第１のセットのうち1つは、タイルの第1の側面のエッジ に位置するか又は隣接してもよく、第2のセットのうちの1つは、タイルの反対側面のエッジに位置するか又は隣接してもよい。少なくとも前記セットのさらに１つは、第1と第2のセット間に位置してよい。下面(又は上面)配置の対応する複数のセットも備えてよい。
【００１３】
タイルはさらに、使用時に、屋根のぬき板上に引っ掛けるニブを含んでよい。ニブの一部は、第1の側面のエッジ構成物上で形成されてよい。タイルの下面はさらに補強リブを含んでよい。補強リブは、タイルの第1の側面のエッジと反対面のエッジの間に伸長し、例えば、V字形の断面図を有する細長い部材を含んでよい。タイルはその下部エッジで輪郭が描かれた部分/足を含んでよく、使用時に、 輪郭が描かれた部分は、重なるタイルの上部に重なる。
【００１４】
タイルは、平面図において概して正方形でよく又は長方形でよい。タイルは長さ375mm及び幅300mmを有すればよい。あるいは、タイルは、600mm x 300mm、又は、900mmx300mmの寸法を有してもよい。タイルの側面のエッジ部分は、境界のアタッチメントを受け取る/連結するための配置を含んでよい。1セットのタイルにおいて、タイルの少なくとも1つは、セット中の他のタイルより約50%広くなりえる。
【００１５】
タイルは、再利用プラスチックを含む硬質プラスチック材料から作られてよい。いくつかの実施形態において、タイルは粉砕された燃料灰(PFA)、及び、ポリエチレン(例えば約70%のPFA、約30%の高密度ポリエチレン)のようなプラスチックの混合物から作られてよい。
【００１６】
下面配置(又はタイルの他の部分/部品)は、建造物のフェイシアで嵌合されるクリッピング手段に嵌合してよい。クリッピング手段は、タイルの下面配置(又は他の部分/部品)を受け取るための配置を含むピボット部材を含んでよく、ピボット部材は、タイルが屋根のピッチに対応する角度で適合されることを可能にするよう旋回する。
【００１７】
本発明の他の態様によれば、ここに記述されるように、1セットのタイルが実質上提供される。他の態様によれば、1セットの前記タイル、及びフェイシア板にタイルを固定するのに適した材料の1セットの一片を含むキットが提供される。
【００１８】
本発明の他の態様によれば、ここに記述されるように1セットのタイルが実質上置かれた屋根(又は建造物)が提供される。
【００１９】
本発明の他の態様によれば、ここに記述されるように1セットのタイルを実質上敷設する方法が提供され、その方法は、屋根当て木上のセットに第1の前記タイルを敷設し、 タイル上の構成物/配置が連結するセットに次のタイルを敷設することを含む。
【００２０】
本発明の他の態様によって、ある側面のエッジで又は隣接した第1の構成物と、 反対側面のエッジで又は隣接した第2の構成物とを含み、使用時に、隣接したタイルの対応する前記第1の構成物で連結する連結可能タイルが提供され、そこで、第1の構成物は、使用時に、釘のような固定手段を受け取るための第1の前もって形作られた開口を含み、第2の構成物は、使用時に、固定手段を受け取るための第2の前もって形作られた開口を含み、第1の構成物は他のタイルの前述の第2の構成物で連結される場合には、第1と第2の開口は、固定手段が第1と第2の開口を通り抜けることを可能にするために整列する。
【００２１】
本発明の一般的な態様によれば、使用時に、隣接したタイル上の対応する前記第1の構成物で連結する1つの側面のエッジの第1の構成物と反対側面のエッジの第2の構成物と、及び/又は、使用時に、重なるタイル上の対応する下面の構成物で連結する、下面配置と、タイルの上部の表面上の配置と、を含む連結可能なタイルが提供される。
【００２２】
また本発明の他の態様によって、下面配置と、タイルの上部の表面上の配置とを含み、使用時に、重なるタイル上の対応する下面構成物で連結するタイルが提供され、そこで、上面配置は、各々異なる距離により、タイルの上部のエッジから間を置いて配置された複数の構成物を含む。
【００２３】
本発明の他の態様によれば、粉砕された燃料灰(PFA)及びプラスチックの混合物から作られたタイルが提供される。タイルは約70%のPFA及び約30%の高密度ポリエチレンを含むかもしれない。また、ある場合には、追加の材料が使用されてよい。ここに記述されるようにタイルをしっかりと形成する方法がさらに提供される。
【００２４】
また、本発明の他の態様によって、建造物のフェイシアで嵌合されるクリッピング手段が提供され、クリッピング手段は、(屋根の)タイルの一部/部品を受け取るのに適した配置を含むピボット部材を含み、使用時に、 部材は、タイルが屋根のピッチに対応する角度で適合されることを可能にするように回動する。部分/部品は、タイルの下面に一般的に置かれればよい。
【００２５】
本発明が上に記述されている一方、それは、以下の明細書上に、又はその明細書で述べられた特徴の任意の創造性のある組み合わせにまで及ぶ。本発明の例示の実施形態は添附図面に関して詳細にここに記述されるが、本発明がこれらの精密な実施形態に対して制限されていないことが理解されるだろう。そのため、多くの変更及びバリエーションが当業者にとり明白である。更に、他の特徴及び実施形態が特別の特徴に言及しなくても、個々に又は実施形態の一部として記述された特別の特徴は、他の個々に記述された特徴、又は、他の実施形態の部分と結合することが可能であることが意図される。したがって、本発明はまだ記述されないそのような特定の組み合わせまで及ぶ。
【００２６】
本発明は様々な方法で実行されてよく、添附図面を参照して、例のみとして、それの実施形態はここで記述される。
【図面の簡単な説明】
【００２７】
【図１】図1は、連結可能なタイルの例についての概略平面図である。
【図２】図2は、タイルの下面の一部についての概略図である。
【図３】図3は、それが連結されることになっている他のタイルの隣のタイルの部品を示す。
【図４】図4は、他のタイルによって部分的にオーバーラップしているタイルについての概略半透明図である。
【図５】図5は図3に対応したタイルの他の実施形態を示す。
【図６Ａ】さらに他の実施形態の、透視図である。
【図６Ｂ】さらに他の実施形態の、平面図である。
【図６Ｃ】さらに他の実施形態の、下面図である。
【図７Ａ】さらなる実施形態の、透視図である。
【図７Ｂ】さらなる実施形態の、平面図である。
【図７Ｃ】さらなる実施形態の、下面図である。
【図８Ａ】図8Aは、クリッピング手段に取り付けられたタイルの断面図である。
【図８Ｂ】図8Bは、クリッピング手段の透視図である。
【発明を実施するための形態】
【００２８】
図1及び2をまず参照して、実施例のタイル100は示される。タイルは、コンクリートのような従来のものを含む任意の適切な材料から作ることができる。しかしながら、タイルが、硬質プラスチックのような長いライフ・サイクルがある軽量の素材から作られる場合は特に有利である。使用されるプラスチック材料が再利用される場合には、環境上/経済上の利点がある。タイルの質感及び設計は、従来のタイル(例えばスレート・タイル)に対して同様の外観を有し、もし必要ならばそれが既存の屋根ふき材の中へ調和するようなものでありえる。したがって、タイルは人造の連結スレートを含むと考えてよい。タイルは、屋根ふき材や外部(例えばスレート)の垂直のタイルにも使用することができ、床及び壁タイルに適するバージョンを生産できる。タイルを囲むタイルに同一平面上の露出した表面があるように、ここに記述された連結するタイルの配置を修正することができることが十分に理解されるだろう。
【００２９】
タイルは、例えばプラスチックが使用される場合、射出成形などの任意の適切な生産方法によって形成することができる。あるいは、タイルは、粉砕された燃料灰(PFA)及びポリエチレン(例えば約70%のPFA、約30%の高密度ポリエチレン)の混合物から作られてよい。PFAは加熱され、粉へ調合され、それから、タイルを形成するために射出成型することができる。難燃剤のような添加物もいくつかの実施形態の中で使用することができる。タイルの寸法及びデザインを変えることができることが認識されるだろう。1つの例において、タイルのメインの領域の全長/幅は、375mm x 300mmである。それは、一般に使用されて、英国で商人によって好まれたサイズである。しかしながら、事実上任意の合理的な寸法のタイル(例えば、より大きなエリアのために使用される600mm x 300mm又は900mm×300mm)を形成することが可能であることは理解されるだろう。
【００３０】
タイル100は、形状において概して長方形で、上面101A及び下面101Bを含む。タイルの上部エッジは図1中の104Aと呼ばれる一方、その下部エッジは104Bと呼ばれる。図1の中のタイルの左側エッジに104Cのラベルが付けられ、そして、直線の完全なカットの右側エッジは104Dと呼ばれる。上部エッジ104Aでは、少なくとも1つの依存するニブ106がある。図示する例において、2つのニブ106及び106'があり、各ニブはタイルの反対側面のエッジに位置している。図1に示されたように、ニブは屋根ふき材のぬき板102Aの上にタイルを引っ掛けるために使用することが可能である。ニブは、任意の隣接したタイルの上に、ぬき板にタイルを固定することを支援するために釘などを受け取るための前もって形作られた開口/穴(不図示)を含んでよい。タイルが、しっかりと垂直の方向にはめられることになっている場合には、例えば、ニブは、ぬき板の上部の表面上でセットされ、タイルの主表面がぬき板の側面の表面上でセットされている場合には、これは特に有用である。
【００３１】
タイルの下面はさらに、例において、左側エッジから右側エッジまでずっと伸張し、V字形の断面図を有する細長い部材の形状を有する補強リブ107を含む。しかしながら、バリエーション、例えば、強化する部材には異なる形状がありえ、 そして、タイルの全幅を横切って広がる必要はなく、 異なる方向（例えば対角線）の中で広がってよいことは理解されるだろう。
【００３２】
使用時において、ぬき板102Aはニブ106と補強リブ107の間で位置し、それによって、屋根上で適当な場所にタイルを固定することを支援する。タイルの下部部分(エッジ104Dに隣接した)は他のぬき板102Bに止まる。タイルの下面101Bの下部エッジ104Bに沿って足部分108がある。
【００３３】
タイルの上部エッジ104Aの方へ、部分的に使用時にその上に横たわる他のタイルで連結することでタイルを支援するように意図される上面上に少なくとも1つの構成物がある。例において、上面の構成物は1セットの3つの開口/穴110Aから110Cを含む。3つの穴は、上部エッジ104Aの近くから、下部エッジを下る方へ直線状に伸びて配置される。穴110Aから110Cまでの各々の中心は、そのため、上部エッジ104Aからの離れた異なる距離に位置する。
【００３４】
図2で見ることが可能であるように、タイルの下面は、タイルの下部エッジ104Bの方に構成物109を含む。例において、下面構成物109は、四角い穴110Aから110Cまでのうちの1つに嵌合するよう設計された四角い突起を含む。構成物を連結する図示する上面の及び/又は下面のためのバリエーション、例えば、下面に1以上の突起を有することは可能である、そして、 位置及び/又は寸法そして構成物の形状は、変わることが可能であることが認識されるだろう。図1のタイル例の中で、上面上に3つの突起の2セット(110A-110C及び110A'-110C)があり、下面の対応する一対の突起(そのうちの1つだけが図2において目に見える)がある。しかしながら、再び、バリエーションが可能であることは理解され、そして 上面、及び/又は、タイルの下面上に、2セットを越える又は未満の間を噛み合わせた構成物があってもよい。例えば、下に説明されるように、異なるタイルに「ゲージ」を供給するために、タイルの下面は、(上面上のそのようなセットに加えて、又は、代わりに )、1セットの離れて間を置いて配置された配置を含んでよい。上部/下面配置は、上部エッジ104Aの代わりにタイルの下部エッジ104Bに/付近に位置することが可能であった。
【００３５】
図2で最も見られるように、タイルの下面から側面エッジ104Dで受け取る部分112が形成される(これも図1の平面図の中で幻影線で示される)。受け取る部分112は、タイルの側面のエッジ104Dで開いているスロット116を含む。受け取る部分の形状はタイルの反対側面エッジ上の突起に対応するために形成され、それは下記に述べられる。タイルの下部エッジ104Bの近くの受け取る部分112の一部は、水流を形成するようにタイルの上面101Aから下面101Bの下方へ角度がある。
【００３６】
タイルの上面、その下面を通り抜け、受け取る部分の下面を通って外に出る、前もって形作られた開口115が、タイルの上部の右手角に位置する。ホール115は、釘(例えば0.5mm)、ねじなどがそれを通り抜けることを可能な寸法であり、そして 使用の間に釘/ねじのヘッドを適合するために、へこんだ領域が開口のまわりのタイルの上面上で形成されてよい。
【００３７】
左側エッジ104Cに、突起配置114がある。使用において、突起配置114は、他のタイルの受け取る部分にスライドして嵌合し、その適合は、タイル100の側面のエッジ104Dの上にある。突起114の幅は約30mmである。また、その突起はタイルの上部エッジ104の近くから下部エッジ104B付近まで伸長する。突起は概して長方形であり、しかし、下部左手コーナ(図1)に一部を切り取った部分を含み、受け取る部分112に嵌合するように設計されている。突起(また対応する受け取る部分)のデザインが変わる場合、例えば、1セットの離れて間を置いて配置された突起/ペグが備わってもよいことが理解されるだろう。タイルの左側エッジ104Cに隣接した突起の一部116は、 タイルの上面101Aから傾斜し、使用時に、水流路として作用することが可能である谷を形成する。有利には、この谷は2枚の連結された隣接したタイル間の接合個所の下に位置する。
【００３８】
突起114はさらに、タイルの上部エッジ104A付近に、前もって形作られた、長方形のスロット118を含む。使用時に、突起114が隣接したタイルの受け取る部分112にはめられる場合には、スロット118は、隣接したタイルのホール115に沿って配列され、釘が両方のタイルを通り抜けることを可能にし、 それにより、下にあるぬき板にそれらを固定する。例として、ホール118は、タイルのある程度の横に動く相対的運動を可能にするように延長される。 しかし、開口が他の形状をとることが可能であることは理解されるだろう。
【００３９】
使用時に、上に概説されるように、タイル100は屋根上の所要の位置のぬき板上に引っ掛けられる。その後、適合される次のタイルは(慣例通りに直前のタイルの左に対して)ぬき板に置かれ、図3の矢によって示されたように、横に移動され、右手タイルの突出する配置112が、左手タイルの受け取る部分112に入る。(もし望まれれば突起/受け部分の側面のエッジ位置を交換することができ、しかしながら、瓦は、左の方向の右に慣例通りに置かれることが理解されるだろう)。その後、左手側のタイルは別のタイルに近くへ押され、タイルの各々上の2つの釘ホール115, 118が整列するように、それらの側面のエッジは互いに接触する。例における突起及び受け取る部分の噛み合いは、タイル100の上面が、隣接した連結された屋根用タイルの上面と同じ高さにあることを可能にする。ただし、これが実例でないように設計は変わる場合があることは理解されるだろう。その後、釘は、穴を通って下のぬき板に打ち込むことが可能であり、それによって、ぬき板に両方のタイルを固定する (それはすべての一対のタイルを釘づけにするのに不必要であると考えられるかもしれないが)。この処理手順は、並んだタイルの全列/コースのために続くことが可能である。
【００４０】
その後、タイルの次の列/コースは敷設することが可能である。図4は、その上部エッジ104Aで重なる、他のタイル100'の一部と一緒のタイル100を示す。図4の半透明/横断面の側面図でさらに、第1のタイル100の側面に横たわるタイルの突起114'が概略的に示された。釘401は、隣接したタイルのホール118と同様に、タイル100のホール115を貫通して示される。上部のタイル100'の一部は、下にある連結されたタイルの上部のエッジで、(釘ホールを含んでいる)部分をオーバーラップさせる。下にあるタイルの露出した部品の長さは「ゲージ」と呼ばれる。上部のタイル100の下面構成物(118') は、下部タイル100の開口110A-110Cに嵌合する。タイル上の1つを超える上面構成物の用意は、重なるタイルは、いくつかの対応する構成物のうちの1つに嵌合することが可能であることを意味し、それにより、タイルのゲージが調節されることを可能にする。
【００４１】
上部エッジ102Aに最も近い開口110Aへの下面突起の挿入により選択されている例では、屋根用タイルのための通常のゲージは300mmになるだろう。例えば、次の開口110Bは、285mmのゲージ、そして、第3の開口110Cは275mmのゲージを提供することが可能である。したがって、開口はそれぞれ、約10mm以内のストレッチングを可能にする。ただし、これを変えることができるかもしれないことは理解される。フェイシアから尾根へ約6096mm(20')の寸法を有する屋根ふき材エリアのために、300mmゲージmmの20のコースが必要だろう。しかしながら、複数の開口はバリエーションを可能とする。例えば、屋根のフェイシア及び尾根の間の距離が約5941mm(19'6")に減らされた場合には、その後、第1の開口110Aは300mmのゲージで第1の14のコースのために使用されるだろう。その後、約155mm(6")の損失を補うために、残りの6つのコースは、275mmのゲージで敷設されるだろう。開口(及び/又は下面突起)のポジショニングはゲージのあらゆる所要の範囲も与えるために変えることが可能であることが理解されるだろう。例えば、開口110Aは280mmのゲージ、開口110Bは265mmのゲージ、そして、開口110Cは250mmのゲージを提供することが可能である。
【００４２】
敷設された(通常のひさし)タイルの第1のコースの下面突起は、1セットの適切な開口/穴を含む配置を備えることにより固定することが可能である。これらは、例えば、規則的な長さ、例えば1m、で売られる再利用プラスチックなどの、材料の一片上で提供することが可能である。一片は、フェイシア板(切妻壁から切妻壁)のトップへ、釘、ねじなどによって、固定することが可能である。
【００４３】
図5は、タイルの代替例200を示す。長方形のスロット511A-511C(例えば10mm)は、ホール110A'-110Cの側面から外へ広がる。これは、一連の約10mm以上の重なるタイルの横方向の動き/ストレッチングを可能にする。ただし、任意の合理的な幅のスロットを提供することができるかもしれないことは理解される。
【００４４】
図6A、6B及び6Cは、タイルの他の代替バージョン300を示す。このタイル300は、幅は実質的に他のタイル100の幅の1.5倍(つまり約50%広い、例えば約450mm)と等しいという点を除いて上に記述された例に共通の特徴を含む。この種のタイルは、「壊れた結合（broken bond）」又は「半結合（half bond）」として一般に知られている屋根パターンを形成するために、切妻壁縁の上で交互に使用することが可能である。タイルの「直交する」幅はその上部の表面上のライン301でマークされてよい。しかしながら、これがオプションであることは理解される。また、タイル300の主表面は、1以上の構成部分で作られてよい。この種のタイルのニブ106及び/又はスロット110のセット及び/又は下面配置109'の数/位置は、「通常の幅」のタイル100と異なってもよい。例で、タイルの上部のエッジの近くの離れて間を置いて配置された間隔で1列に配置された、3セットの上面配置110A-110C、110A'' -110C''、110A'-110C'があり、例えば、ストレート結合(タイル及び下にあるものの側面のエッジが整列する場合)又は半分/壊れた結合などのタイルが異なるタイプの結合を使用して配置されることを可能にする。
【００４５】
図6Cはさらに、1対の離れて間を置いて配置され開口110a-110Cのうちの1つへとまることが可能であるそれらの端に横の突起を伴う半固定のアーム109A、109Bを含む下面配置'109の代替バージョンを示す。
【００４６】
図7A、7B及び7Cは、タイルの他の代替バージョン400をさらに示す。このタイルは、左(又は右)手側面の突き出るフィン/配置114を含んでいないという点を除いて上に記述された実施形態のうちのいずれかの大多数の特徴を含むことが可能である。この種のタイルは、隣接した連結するタイルがないタイルの列の終端(通常屋根の端)に取り付けられるように意図される。フィン114の代わりに、装飾の目的のための縁アタッチメント(不図示)を受け取る/接続するための、左の手側面のスロット401、又は、1セットの突起のような他の配置を含むことが可能である。スロット401はタイル100のスロット112に類似しているかもしれない。あるいは、左の手側面のはべた一面かもしれない。タイルの列の反対端上で嵌めるのに適しているタイル400のバージョンも作ることが可能であることが理解されるだろう。タイルは、従来のタイル100のうちの1つとして同じ幅(例えば300mm)、又は、「タイル及び半分」の幅のタイル300のうちの1つとして同じ幅(例えば450mm)のどちらか一方を有することが可能である。
【００４７】
図8A及び8Bを参照して、クリッピング手段802が示される。クリッピング手段は、屋根の下部エッジに隣接する建造物のフェイシア804に適合されるように通常意図される。手段802は、ねじ、釘、接着剤などによりフェイシアに取り付けられてよい。手段802は、部分的に環状の(断面図の中で)穴を含む長方形の本体804を含んでいる。穴に、ピボットの部材806が嵌められる。部材806は、穴及び穴から外側に突出する少なくとも1つのタイル受け取り部分808の内にピボットに取り付けられる概して環状の部分を含む。手段802の部品はプラスチック又は他の適切な材料から作られてよい。
【００４８】
タイル受け取り部分808は、タイル812の下面の部分810が嵌入されるスロットを含む。例で、タイル部分810は、タイルを受け取る部分に対応して形作られた内側の表面にはまる丸くなったか又は球根状のプッシュインを有する長方形の部材を含む。しかしながら、バリエーションは可能であることは理解されるだろう。例えば、上に記述された下面部分/突起109、118の1つ以上を受け取るためのタイルを受け取る部分を形成することができるかもしれない。しかしながら、クリッピング手段802は、上に記述された例以外のタイルを備えた使用に適しているかもしれないことは理解されるだろう。ピボットの部材とメインの間の接続は、タイル812の角度は、屋根のピッチに概して一致するようセットされた後、摩擦によりその位置の中でそれを保持するものでよい。代替バージョンの中では、ピンなどは位置の中でピボットの部材を保持するために使用されてもよい。
【００４９】
手段802は1以上のタイルを収容するのに十分な長さかもしれない。それが1枚を超えるタイルに対して接続することが可能である場合には、各タイルの別の/独立したピボットの部材があるかもしれない (例えば3は図8Bの例で示される)。例におけるタイルは、屋根のとい816に至る雫トレー814に突き出る。フェイシアの反対側面に換気された雫トレー818がさらにある。
【図１】
2011529537.tif 000003
【図２】
2011529537.tif 000004
【図３】
2011529537.tif 000005
【図４】
2011529537.tif 000006
【図５】
2011529537.tif 000007
【図６Ａ】
2011529537.tif 000008
【図６Ｂ】
2011529537.tif 000009
【図６Ｃ】
2011529537.tif 000010
【図７Ａ】
2011529537.tif 000011
【図７Ｂ】
2011529537.tif 000012
【図７Ｃ】
2011529537.tif 000013
【図８Ａ】
2011529537.tif 000014
【図８Ｂ】
2011529537.tif 000015
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
連結可能なタイル(100)は、
上面配置(110A-110C, 110A'-110C')の複数のセットと下面配置(109')の対応する複数のセットと、
側面のエッジ(104C)に位置し又は隣接した第1の構成物(114)と、
反対側面のエッジ(104D)に位置し又は隣接した、使用時に隣接したタイルの対応する前記第1の構成物で連結する第2の構成物(112)と、
を含み、
前記上面配置の前記セットの第1のセット(110A-110C)及び前記下面配置の前記セットの第1のセットは、タイル(100)の第1の側面のエッジ(104C)に位置し又は隣接し、
前記上面配置の前記セットの第２のセット(110A'-110C')及び前記下面配置の前記セットの第２のセットは、タイルの反対側面のエッジ(104D)に位置し又は隣接し、
使用時に、前記タイルの前記上面配置は、重なるタイル上の対応する下面配置で連結し、
前記タイルの前記下面配置(109')のセットの各々、及び/又は、前記上面配置(110A-110C, 110A'-110C')の前記セットの各々は、異なる距離によって前記タイルの上部か下部エッジから間を置いて配置された複数の構成物を含み、使用時に、前記複数の構成物が、前記重なるタイルのためにタイルのゲージの範囲を提供することを特徴とする連結可能なタイル。
【請求項２】
前記第1の側面の構成物は、使用時に、固定手段(401)の受取りのために、第1の前もって形作った開口(118)を含み、前記第2の側面の構成物は、使用時に、前記固定手段の受取りのために、第2の前もって形作った開口(115)を含み、前記第1の側面の構成物は、他のタイルの前記第2の側面の構成物で連結される場合には、前記第1と前記第2の開口は前記固定手段が前記第1と前記第2の開口を通り抜けることを可能にするために整列することを特徴とする請求項１に記載のタイル。
【請求項３】
前記第1(118)及び前記第2(115)の開口の少なくとも1つは長方形であることを特徴とする請求項２に記載のタイル。
【請求項４】
前記第1の側面の構成物は、細長い突起(114)を含み、前記第2の側面の構成物は、前記反対側面のエッジ(104D)にくぼみ(112)又はスロットを含むことを特徴とする請求項３に記載のタイル。
【請求項５】
前記第1(114)及び前記第2(112)の側面の構成物の噛み合いは、使用時に、前記タイル(100)が隣接したタイル(100')で連結される場合には、前記タイルの上面が連結された前記タイルの上面と同じ高さとすることを可能とすることを特徴とする請求項３又は４に記載のタイル。
【請求項６】
前記細長い突起(116)の少なくとも一部分は、使用時に、隣接したタイル(100及び100')の側面のエッジ(104C、104D)間の接合個所の下に位置した水路を形成するための角度を有することを特徴とする請求項３から５のいずれかに記載のタイル。
【請求項７】
前記複数の上面配置(110A-110C)又は下面配置(109)は、タイル(100)の上部エッジ部分(104A)で、又は、その部分の近くで1列に配置された1セットの開口(110A-110C)を含むことを特徴とする請求項1から６のいずれかに記載のタイル。
【請求項８】
前記複数の上面開口(110A-110C)のすべて又はいくつかは、前記タイル(100)を横切って横に広がる、組み合わさる細長いスロット(511A-511C)を有し、それによって、使用時に、前記タイルで連結される他のタイルの横の動きを可能にすることを特徴とする請求項７に記載のタイル。
【請求項９】
前記下面配置は、前記タイル(100)の下部エッジ部分(104B)の位置に又はその近くで配置され、他の前記タイルの開口(110A-110C)のセットのうちの1つに嵌合する寸法を有する突起(109)を含むことを特徴とする請求項７又は８に記載のタイル。
【請求項１０】
前記上面配置(110A-110C)及び前記下面配置の第1のセットは、前記タイル(100)の第1の側面のエッジ(104C) に位置するか隣接し、前記上面配置(110A'-110C')及び前記下面配置の第2のセットは、前記タイルの反対側面エッジ(104D)に位置するか隣接することを特徴とする請求項９に記載のタイル。
【請求項１１】
前記第1と前記第2とのセット間に位置する、前記上面配置のさらに少なくとも１つのセットと、前記下面配置のさらに少なくとも１つセット(110A'' -110C'')を含むことを特徴とする請求項１０に記載のタイル。
【請求項１２】
使用時に、屋根ぬき板(102A)上に引っ掛けるニブ(106)をさらに含むことを特徴とする請求項1から１１のいずれかに記載のタイル。
【請求項１３】
使用時に、釘のような固定手段を受けとるための前もって形作られた開口をさらに含むことを特徴とする請求項１２に記載のタイル。
【請求項１４】
前記ニブ(106)の一部は、前記第1の側面の構成物(114)の上に形成されることを特徴とする請求項１２又は１３に記載のタイル。
【請求項１５】
前記タイル(100)の下面は、補強リブ(107)をさらに含むことを特徴とする請求項1から１４のいずれかに記載のタイル。
【請求項１６】
前記補強リブは、前記タイル(100)の前記第1の側面のエッジ(104C)と前記反対側面のエッジ(104D)の間に伸び、V字形の断面を有する細長い部材(107)を含むことを特徴とする請求項１５に記載のタイル。
【請求項１７】
前記タイル(100)の下部エッジ(104B)で輪郭が描かれた部分/足(102)を含み、使用時に、前記輪郭が描かれた部分は、重なるタイルの上部をオーバーラップさせることを特徴とする請求項1から１６のいずれかに記載のタイル。
【請求項１８】
前記タイル(100)は、平面図において概して正方形か又は長方形であることを特徴とする請求項1から１７のいずれかに記載のタイル。
【請求項１９】
前記タイル(100)は固い再利用プラスチック材料から作られることを特徴とする請求項1から１８のいずれかに記載のタイル。
【請求項２０】
前記タイル(400)の側面のエッジ部分は、へりのアタッチメントを受け取る/接続するための配置(401)を含むことを特徴とする請求項1に記載のタイル。
【請求項２１】
前記タイル(812)の前記下面配置(118)は、使用時に、前記タイルの下面配置を受け取るための配置を含む少なくとも1つのピボット部材(808)を有するクリッピング手段(802)に嵌合し、前記ピボットの部材はピボット動作可能であり、前記タイルが屋根のピッチに対応する角度で適合されることを可能にすることを特徴とする請求項1から２０のいずれかに記載のタイル。
【請求項２２】
前記クリッピング手段(802)は、建造物のフェイシア(804)に取り付けられることを特徴とする請求項２１に記載のタイル。
【請求項２３】
請求項1から２２のいずれかに記載のタイルによる1セットのタイル(100)。
【請求項２４】
前記セット中の前記タイル(300)の少なくとも1つは、前記セット中の他のタイル(100)より約50%広いことを特徴とする請求項２３に記載の1セットのタイル。
【請求項２５】
キットは、1セットの前記タイル(100)と、フェイシア板に前記タイルを固定するのに適した材料の1セットの小板と、を含む。
【請求項２６】
請求項２４に記載の1セットのタイルが敷設されたことを特徴とする屋根又は建造物。
【請求項２７】
屋根ぬき板(102)上に前記セット中の第1の前記タイル(100)を敷設し、前記タイルの前記構成物(114, 112; 109, 110)が連結するように 前記セット中の次のタイル(100')を敷設することを含むことを特徴とする請求項２４による1セットの瓦(100)を敷設する方法。
【手続補正２】
【補正対象書類名】明細書
【補正対象項目名】０００４
【補正方法】変更
【補正の内容】
【０００４】
本発明の実施形態は、上述の問題のうちのいくつかに少なくとも焦点を当てるように意図される。GB-A-2 382 356は、突き出されたコンクリート連結瓦を開示する。ここで、タイルの上部のエッジ表面は、重なるタイルのより低いエッジを受け取るために側面のエッジ間に広がるくぼみを有している。FR-A-1 303 992は、重なるタイルの接続を支援する。スタッドを受け取るためにあらかじめ形成された穴を有する連結可能なタイルを開示する。
【手続補正３】
【補正対象書類名】明細書
【補正対象項目名】０００５
【補正方法】変更
【補正の内容】
【０００５】
本発明の第1の態様によれば、ここに添付された請求項1によって定義されるような連結可能なタイルが提供される。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
第1の構成物は使用時に釘のような固定する手段を受け取るための、第1の前もって形作られた開口を含み、第2の構成物は、使用時に、固定する手段を受け取るための第2の前もって形作られた開口を含み、第1の構成物が他のタイルの前述の第2の構成物で連結される場合には、固定する手段が第1及び第2の開口を通り抜けることを可能にするため、第1及び第2の開口は整列する。
【国際調査報告】
2011529537.tif 000016
2011529537.tif 000017
2011529537.tif 000018
2011529537.tif 000019
2011529537.tif 000020